(57)【要約】【課題】  塵、水滴等がレンズ前方部からカバー内部に進入することを防ぐことを目的とする。【解決手段】  課題を解決するために、カバーとレンズ鏡筒との間に存在するテレビレンズ前側部分における隙間を埋める形状をレンズフードと一体的に形成する。【選択図】  図１
2005215573.tif 000002
【特許請求の範囲】
【請求項１】
撮影光学系を保持する略円筒形状のレンズ鏡筒と、略矩形状の固定筐体が光軸に沿って連結され、前記略矩形状の固定筐体の投影面積は前記略円筒形状の鏡筒の面積を内包し、かつ前記筐体が略結像面側に配置された構成と、前記レンズ鏡筒を覆い、かつレンズ前側（前玉側）からスライドさせることにより前記固定筐体に固定される略矩形状のカバーとを有するテレビレンズにおいて、前記カバーに固着され、前記レンズ鏡筒と嵌め合う、あるいは前記レンズ鏡筒の先端部と隙間無く密着させることを特徴とするレンズフード。
【請求項２】
請求項１に記載のテレビレンズにおいて、弾性材によって構成し、かつ弾性変形構造を設けることにより、レンズ前側近傍において前記レンズ鏡筒と前記カバーとの間を弾性力によって支持することを特徴とする請求項１に記載のレンズフード。
【発明の詳細な説明】
【技術分野】
【０００１】
本発明はテレビレンズのレンズフードに関するものである。
【背景技術】
【０００２】
従来、放送局用テレビレンズは、図４に示すように撮影光学系を保持するレンズ鏡筒１と、放送用テレビカメラに取り付けるための部材としての役割をする略矩形状の固定筐体３とを持ち、前記レンズ鏡筒の外側には前記固定筐体の形状に合わせた略矩形状のカバー２がある。前記カバーの前端部には、有害光を遮光し、撮影上不必要となる上下の部分をマスクする役割を果たすため、図５（ａ）に示すようなレンズ前玉側の上下部を覆い隠すような形状と、前記テレビレンズの前方部においてカバーのエッジを保護するため、図５（ｂ）のようにカバー端面を包み込むような形状とを併せ持つレンズフード４が固着されている。前記カバーは図６に示すように前側方向からスライドさせることにより、開閉や脱着が可能であり、レンズ後方部において前記固定筐体と隙間無く嵌め合った状態でネジ５或いはこれに代わる固定装置によって固定され、前記レンズ鏡筒やズームに用いられるモータなどを内包する。この開閉や脱着を容易にするために、テレビレンズにはガイド６が設けられており、前記ガイドと嵌合する部分を前記ケースに設けることにより案内機能を果たしている。この両者の構造上の関係については、幾つかの提案がなされている（例えば特開２０００−２０６５８８）。
【０００３】
また、このような放送局用テレビレンズにおけるレンズフードに関しては、例えばスライドをすることでマクロ撮影時と望遠撮影時両方で望ましい遮光効果が得られるようにする（特開平８−８２８３１）などの様々な形態の提案がなされているが、カバーの先端に取り付けてレンズ前方を保護するという目的上、多くのものが前記カバーの形状に合わせて略矩形状をしている。ここで、前記レンズ鏡筒は略円筒形状をしているため、この両者の間に形状の違いによってレンズ前方部に隙間２ａが存在する。この隙間から塵・水滴等の異物がカバー内部に進入することで、レンズの故障の原因となる。
【０００４】
そこで、前記カバー内への異物の進入を防ぐために、図７に示すようにシール材７を用いて前記カバーと前記レンズ鏡筒との間を塞ぐ方法や、さらに防塵性・防滴性が要求される環境で使用するものに対しては、レンズ鏡筒の前面部に透明な部材を用いて、ケースを完全に箱状にして、前記レンズ鏡筒をその中に入れることによって防塵、防滴を果たす方法も提案されている。
【特許文献１】特開２０００−２０６５８８
【特許文献２】特開平８−８２８３１
【発明の開示】
【発明が解決しようとする課題】
【０００５】
しかし、塵、水滴等がレンズ前方部からカバー内部に進入することを防ぐためにシール材を用いてレンズ前部の隙間を塞ぐ構造にすると、前述した通り前記ケースが略矩形状、前記鏡筒が略円筒形状をしていて両者の形状が異なるため、
１．シール材の効果を有効に働かせるために両方向から一定の圧力がかかるようにするには、ケース、或いはシール材のどちらかの形状を複雑にしなければならない。
【０００６】
といった問題となる。また、レンズ鏡筒全体を箱の中に入れるような構造では、
２．レンズ鏡筒をカバーが包む形になり、構成が複雑になる。
【０００７】
３．テレビレンズ前側の重量が増すことで、撮りまわし上問題となる。
【０００８】
といったことになる。さらに、これらのいずれの方法においても新たに部品を用いることになるので、
４．製造コストが増加する。
【０００９】
また、前記カバーはレンズ後方部において固定筐体と密着した状態で固定されるが、前方側においては、装着する際に案内として用いたガイドに組合っているものの、両者の間で拘束はされていない。このため、
５．前記カバーはレンズ前側での拘束性に欠け、後方での取り付け部にかかる負担が大きい。
【００１０】
６．レンズに取り付けられたモータから発生する振動が伝わると、前方部で拘束されていないカバーが振動する。
【００１１】
７．６に関連して、カバーが振動することで騒音が発生し、収録時にこの騒音が録音されてしまう。
【００１２】
といった問題となる。
【００１３】
上記を受けて、本発明における第１の目的は、前記放送局用テレビレンズにおいて、レンズ前方部からの塵、水滴等が前記カバー内部へ進入の防止を、低コストで、かつ簡易な構造で実現することにある。また、本発明における第２の目的は、前記カバーをレンズ前側で拘束させ、かつカバーの振動を抑制することで騒音を発生させないようにすることである。
【課題を解決するための手段】
【００１４】
上記課題を解決する手段として、第１の発明は前記カバーと前記レンズ鏡筒との間に存在するテレビレンズ前側部分における隙間を埋める形状を、前記レンズフードと一体的に形成することで前記カバー内部の密閉状態を保つ構造にして、前側からの防塵・防滴性を得ることである。
【００１５】
また、第２の発明としては、前記レンズフードを弾性部材で構成し、前記カバーと前記レンズ鏡筒との間をテレビレンズの前側近傍にて弾性的に支持させることにより前記カバーの安定性を向上させると共に、レンズフードに弾性変形構造を持たせた形状にすることで、前記テレビレンズ内部のモータ等からの振動を吸収する役割を持たせることである。
【発明の効果】
【００１６】
第１発明の効果として、次のことが言える。
【００１７】
１．放送局用のテレビレンズにおいて、前記テレビレンズ前方での防塵・防滴性の向上が、レンズフードの形状を変更するのみで、新たに部材を追加することなく低コストで実現できる。
【００１８】
２．１に関連して、防塵・防滴性の向上が従来と同様の簡単な構造で実現でき、製造工程も変更する必要も無く可能である。
【００１９】
また、第２の発明の効果としては以下のようにまとめることができる。
【００２０】
３．テレビレンズ前方部において、レンズ鏡筒とカバーとを弾性的に支持させることで、前記カバーのレンズ前方部での安定性が向上する。
【００２１】
４．レンズフードに弾性変形構造を持たせることにより、テレビレンズ内部のモータから前記カバーへと伝わる振動を吸収することができるようになり、前記カバーの振動を抑制できる。
【００２２】
５．４に関連して、前記カバーが振動することによって発生していた騒音を抑制できる。
【００２３】
６．前記レンズフードと前記レンズ鏡筒との嵌合部において、両者の密着性が増し、レンズ前方部における防塵・防滴性がさらに向上する。
【発明を実施するための最良の形態】
【００２４】
（実施例）
（第１の実施例）
図１は本発明の実施の形態を表す断面図である。
【００２５】
レンズフード８は従来のものと同様に、カバーの先端部を保護するようにカバー９の形状に沿った略矩形形状をしており、レンズフードと前記カバーとは、接合面８ａにおいて接着等の方法で全周に渡って隙間無く固定されて一体になっている。前記レンズフードは撮影上不必要となる上下部のマスクを行う形状も兼ね備えているが、従来のものと異なる形状として、レンズ鏡筒１０と嵌め合うように環状の部分８ｂを後方部に設けている。これにより、レンズフードが固定されている状態のカバーをガイドに沿ってスライドさせて装着する際に、前記レンズ鏡筒を前記レンズフード環状部分の内側に差し込ませ、両者を嵌合させる事により密着させる、もしくは前記レンズ鏡筒の先端部を前記レンズフードの突出部８ｃに当てて密着させるといったことができる。この状態で前記カバーをレンズ後方部において固定筐体と固定させることで、レンズ前面に存在していた隙間を埋めることができる。
【００２６】
この構造によって新たに部品を投入すること無しに、テレビレンズ前側における隙間を塞ぐことができ、カバー内部を密閉した状態で保つことができる。また、前記レンズフードが前記カバーと一体となっている構造は従来のものと同様であり、前記カバーをレンズ前側からスライドさせて固定筐体と固定させる方法も従来のものと変わらないので、組み立て時における工程の変更が不要である。
（第２の実施例）
【００２７】
また、前記レンズフードを弾性体によって構成し、レンズフードと鏡筒とが嵌合する部分において、レンズフード側の内径寸法を鏡筒の外形寸法に対して鏡筒内側に適度な圧力が加わるように設定することにより、レンズフードとレンズ鏡筒との密着度が増し、防塵・防滴性能を向上させることができる。さらに、図１に示すようにレンズフードが弾性変形するように溝８ｄを設けることにより、前記レンズ鏡筒と前記カバーとが弾性力が働く状態でレンズ前方近傍で支持されることになる。これによりレンズ前方部における前記カバーの安定性が向上すると共に、前記テレビレンズに搭載されるモータからの振動を、前記レンズフードが免震材のように変形することで吸収できるようになり、ケースへ伝わる振動を抑制する効果が得られる。これによって、従来ケースが振動することによって発生していた前記カバーからの騒音の問題が解消される。
【００２８】
前記鏡筒と前記レンズフードとの嵌合は、図１に示した様に前記鏡筒の外側から前記レンズフードが抑える方向の他に、図２に示すように前記鏡筒の淵の内側から、レンズフードが当たるようにする方法も考えられる。さらに、図３に示す様に、光軸に対して垂直方向に溝８ｆを設けることで、弾性力を光軸方向に発生させることで、鏡筒とレンズフードとの隙間を鏡筒前側において塞ぐ方法もある。
【図面の簡単な説明】
【００２９】
【図１】本発明の実施例の特徴を最もよく表す横断面図
【図２】本発明の実施例のうち、レンズ鏡筒の内側からレンズフードが当たる図
【図３】本発明の実施例のうち、レンズ鏡筒の内側からレンズフードが当たる図
【図４】従来の放送局用テレビレンズの斜視図
【図５】放送局用テレビレンズにおけるレンズフードの役割を説明するための図
【図６】放送局用テレビレンズにおいてカバーの取り付け方法を示す図
【図７】従来例において、シール材を用いたときの横断面図
【符号の説明】
【００３０】
１  レンズ鏡筒
２  カバー
３  固定筐体
４  レンズフード
５  ネジ
６  ガイド
７  シール材
８  レンズフード
９  カバー
１０  レンズ鏡筒
【図１】
2005215573.tif 000003
【図２】
2005215573.tif 000004
【図３】
2005215573.tif 000005
【図４】
2005215573.tif 000006
【図５】
2005215573.tif 000007
【図６】
2005215573.tif 000008
【図７】
2005215573.tif 000009